(57)【要約】【課題】ノイズの影響を抑え、高速記録時の安定したレーザパワー制御を実現するレーザパワー制御装置を提供する。【解決手段】記録データ列に応じた前記レーザの発光パターンを出力する記録パターン出力部１０１と、前記発光パターンに従って、レーザを発光するレーザ発光部１０２と、レーザの出射光量を測定する光量検出部１０３と、前記光量検出部の出力をサンプリングする、帯域制限が可能な帯域制限付サンプルホールド回路１０５ａ、１０５ｂと、前記帯域制限付サンプルホールド回路におけるサンプルタイミングを出力するサンプルタイミング信号出力部１０４と、記録開始時のレーザ駆動量を演算するフィードフォワード制御部１０６と、記録動作中のレーザ駆動量を演算するフィードバック制御部と、記録開始時は、レーザ駆動量の制御方式の切り替え制御を行なう制御部１０８とを有することとした。【選択図】図１
2006073179.tif 000002
【特許請求の範囲】
【請求項１】
光ディスクに照射するレーザのレーザパワーの出力制御を行なうレーザパワー制御装置において、
記録データ列に応じたレーザの発光パターンを出力する記録パターン出力部と、
前記記録パターン出力部の出力に従って、レーザを発光するレーザ発光部と、
前記レーザ発光部の出射光量を測定する光量検出部と、
前記光量検出部の出力からデータ記録時の光量を検出し保持する、帯域制限の切り替えが可能な帯域制限付サンプルホールド回路と、
前記記録パターン出力部の出力信号に従って、前記帯域制限付サンプルホールド回路におけるサンプルタイミングを出力するサンプルタイミング信号出力部と、
前記帯域制限付サンプルホールド回路の出力から、記録開始時の前記レーザ発光部のレーザ駆動量を演算するフィードフォワード制御部と、
前記帯域制限付サンプルホールド回路の出力から、前記レーザ発光部のレーザ駆動量を演算するフィードバック制御部と、
記録開始時は、前記帯域制限付サンプルホールド回路の帯域を制限せずに前記フィードフォワード制御部を動作させ、これ以降の記録中は、前記帯域制限付サンプルホールド回路の帯域を制限して前記フィードバック制御部を動作させる制御部と、を有する、
ことを特徴とするレーザパワー制御装置。
【請求項２】
請求項１に記載のレーザパワー制御装置において、
前記制御部は、前記フィードフォワード制御部の動作から前記フィードバック制御部の動作に切り替える際に、一定時間前記フィードバック制御部の動作をホールドさせる、
ことを特徴とするレーザパワー制御装置。
【請求項３】
請求項１に記載のレーザパワー制御装置において、
前記サンプルタイミング信号出力部の出力をカウントするサンプルカウンタ部を更に備え、
前記制御部は、前記フィードフォワード制御部から前記フィードバック制御部に動作を切り替える際に、前記サンプルカウンタ部のカウント値が一定数を超えるまで、前記フィードバック制御部の動作をホールドさせる、
ことを特徴とするレーザパワー制御装置。
【請求項４】
請求項２に記載のレーザパワー制御装置において、
前記制御部は、光ディスクへの記録倍速に応じて、前記フィードバック制御部の動作をホールドする時間を変更する、
ことを特徴とするレーザパワー制御装置。
【請求項５】
請求項２に記載のレーザパワー制御装置において、
前記制御部は、前記フィードフォワード制御部の出力するレーザ駆動量の変動量に応じて、前記フィードバック制御部の動作をホールドする時間を変更する、
ことを特徴とするレーザパワー制御装置。
【請求項６】
請求項１に記載のレーザパワー制御装置において、
前記帯域制限付サンプルホールド回路の入力を基準電圧に切り替えるミュート部と、
前記入力ミュート部の信号出力を制御して前記帯域制限付サンプルホールド回路の特性変動を測定する変動測定部と、を備え、
前記制御部は、前記変動測定部の動作開始と共に、前記フィードバック制御部の動作をホールドし、前記変動測定部の動作が終了した後所定時間経過後に、前記フィードバック制御部の動作のホールドを解除する、
ことを特徴とするレーザパワー制御装置。
【請求項７】
請求項１に記載のレーザパワー制御装置において、
前記記録パターン出力部は、記録開始時に通常の記録パターンより長いマークを出力し、
前記サンプルタイミング信号出力部は、前記通常の記録パターンより長いマークに応じて、通常のサンプルタイミング信号よりも長いサンプルタイミング信号を出力する、
ことを特徴とするレーザパワー制御装置。
【請求項８】
請求項１に記載のレーザパワー制御装置において、
前記記録パターン出力部は、記録開始時に一定の長さの矩形波を出力するものであり、
前記サンプルタイミング信号出力部は、前記一定の長さの矩形波に応じて、通常のサンプルタイミング信号よりも長いサンプルタイミング信号を出力する、
ことを特徴とするレーザパワー制御装置。
【請求項９】
請求項８に記載のレーザパワー制御装置において、
前記サンプルタイミング信号出力部は、前記フィードバック制御部の動作が開始するまで、記録開始後最初に出力されるサンプルタイミング信号以降のサンプルタイミング信号の出力を停止する、
ことを特徴とするレーザパワー制御装置。
【発明の詳細な説明】
【技術分野】
【０００１】
本発明は、半導体レーザ光源等の光源から光を照射して各種のデータを記録する記録型光ディスクドライブ装置におけるレーザパワー制御装置に関する。
【背景技術】
【０００２】
追記型や書換型のＤＶＤにおいて、データを連続して記録するためのロスレスリンキング処理においては、短時間で最適な記録パワーを出力することが求められており、かかる記録パワーの制御を行う従来のレーザパワー制御装置としては、例えば、特許文献１に記載のレーザパワー制御装置のように、記録開始時はフィードフォワード制御を行ない、記録開始から一定時間経過後はフィードバック制御を行なうものが知られている。
【０００３】
図１８は、光ディスク記録装置に搭載された従来のレーザパワー制御装置１８００の構成を表すブロック図である。
【０００４】
図１８において、１８０１は記録パターン出力部であり、光ディスクに記録する記録データ列に応じたレーザ発光パターン信号Ｄ１を出力するものである。１８０２はレーザ発光部であり、記録パターン出力部１８０１の出力信号Ｄ１に基づいて、記録レーザ光ＬＤ１を出力するものである。１８０３は光量検出部であり、レーザ発光部１８０２から出射されるレーザ光の出力パワーを検出するものである。
【０００５】
１８０４はサンプルタイミング信号出力部であり、記録パターン出力部１８０１の出力信号Ｄ１に従って、記録データ列の中のマーク部とスペース部とを弁別し、光量検出部１８０３の出力信号ＬＤ２のサンプルすべき位置を、サンプルタイミング信号Ｔａ，Ｔｂとして出力するものである。
【０００６】
１８０５ａ、及び１８０５ｂはサンプルホールド回路（ＳＨ回路）であり、第１のサンプルホールド回路１８０５ａは、サンプルタイミング信号出力部１８０４の出力のうち、サンプルタイミング信号Ｔａに基づいて、光量検出部１８０３の出力信号ＬＤ２をサンプルホールドする。また、第２のサンプルホールド回路１８０５ｂは、サンプルタイミング信号出力部１８０４の出力のうち、サンプルタイミング信号Ｔｂに基づいて、光量検出部１８０３の出力信号ＬＤ２をサンプルホールドする。
【０００７】
１８０６はフィードフォワード制御部（ＦＦ制御部）であり、第１のサンプルホールド回路１８０５ａの出力Ｄ２、及び第２のサンプルホールド回路１８０５ｂの出力Ｄ３に応じて、記録開始直後の一定期間のレーザ駆動量ＬＣを演算するものである。１８０７はフィードバック制御部（ＦＢ制御部）であり、フィードフォワード制御部１８０６の動作後、サンプルホールド回路１８０５１、及び１８０５２の出力に応じてレーザ駆動量ＬＣを演算するものである。
【０００８】
１８０８は制御部であり、記録パターン出力部１８０１の出力Ｓ１に基づいて記録開始を検出して、記録開始時にフィードフォワード制御部１８０６を動作させ、以後のデータ記録中はフィードバック制御１８０７を動作させるものである。
【０００９】
次に、以上のように構成される従来のレーザパワー制御装置１８００の動作を説明する。
図１９は、再生状態から記録が開始された場合の、レーザパワー制御装置の各ブロックから出力される信号波形図を表し、（ａ）は記録開始信号Ｓ１を、（ｂ）はレーザー制御動作を、（ｃ）はレーザ発光パターン信号Ｄ１を、（ｄ）はサンプルタイミング信号Ｔａ，Ｔｂを、（ｅ）はサンプルホールド回路の出力Ｄ２，Ｄ３をそれぞれ表す。
【００１０】
図１８において、ｔ１において、再生状態から記録が開始されると、記録パターン出力部１８０１から、記録開始信号Ｓ１が制御部１８０８に出力されると共に、レーザ発光パターン信号Ｄ１がレーザ発光部１８０２、及びサンプルタイミング信号出力部１８０４に出力される。
【００１１】
サンプルタイミング信号出力部１８０４は、レーザ発光パターン信号Ｄ１を受けて、サンプルタイミング信号Ｔａ，Ｔｂを生成し、第１のサンプルホールド回路１８０５ａ、及び第２のサンプルホールド回路１８０５ｂに対して出力する。また、制御部１８０８は、記録開始信号Ｓ１を受けて、フィードフォワード制御部１８０６を動作させる。
【００１２】
一方、レーザ発光部１８０２からは、記録パターン出力部１８０１から出力されるレーザ発光パターン信号Ｄ１に従って、レーザＬＤ１が発光され、光量検出部１８０３において、レーザＬＤ１のレーザパワーが測定された後、その測定結果が光量検出信号ＬＤ２として、第１のサンプルホールド回路１８０５ａ、及び第２のサンプルホールド回路１８０５ｂに出力される。
【００１３】
第１のサンプルホールド回路１８０５ａ、及び第２のサンプルホールド回路１８０５ｂは、光量検出部１８０３の出力ＬＤ２を、サンプルタイミング信号Ｔａ，Ｔｂに従ってそれぞれサンプルホールドし、サンプルデータＤ１，Ｄ２を、フィードフォワード制御部１８０６に出力する。
【００１４】
フィードフォワード制御部１８０６では、第１のサンプルホールド回路１８０５ａ、及び第２のサンプルホールド回路１８０５ｂの出力と、発光パターンの設定内容に基づいて、レーザのＩ−Ｌ特性、目標となる記録パワー、及びレーザ駆動量が順次算出され、該レーザ駆動量ＬＣがレーザ発光部１８０２に出力される。
【００１５】
次に、記録開始から所定時間が経過したｔ２のタイミングで、制御部１８０８は、フィードフォワード制御部１８０６からフィードバック制御部１８０７に動作を切り替える。第１のサンプルホールド回路１８０５ａ、及び第２のサンプルホールド回路１８０５ｂでは、上述した動作により、光量検出部１８０３の出力ＬＤ２が、サンプルタイミング信号Ｔａ，Ｔｂに従ってそれぞれサンプルホールドされ、第１のサンプルホールド回路１８０５ａ、及び第２のサンプルホールド回路１８０５ｂからサンプルデータＤ１，Ｄ２が、フィードバック制御部１８０７に対して出力される。
【００１６】
フィードバック制御部１８０７では、第１のサンプルホールド回路１８０５ａ、及び第２のサンプルホールド回路１８０５ｂの出力と、発光パターンの設定内容とに基づいて、フィードバック制御によりレーザ駆動量ＬＣが算出され、レーザ発光部１８０２に出力される。
【特許文献１】特開２００２−３２４３１６号公報
【発明の開示】
【発明が解決しようとする課題】
【００１７】
記録型光ディスクの記録に用いるレーザパワー制御は、記録型光ディスク装置の高速化に応じて、高速に静定し、安定したレーザパワーを出力することが必要とされている。上述した従来のサンプルホールド回路を用いたレーザパワー制御装置では、記録速度の高速化に応じてサンプルホールド回路の帯域を上げる必要があるため、サンプルホールド回路でノイズの影響を受けやすくなり、記録パワーの安定性が悪化する原因となっていた。
【００１８】
本発明は、上記従来の課題を解決するためになされたものであり、帯域制限の切替機能を有するサンプルホールド回路を用いてサンプルホールド回路の帯域を動的に制御することにより、ノイズの影響を抑え、高速記録時の安定したレーザパワー制御を行なうことが可能なレーザパワー制御を提供することを目的とする。
【課題を解決するための手段】
【００１９】
上記従来の課題を解決するために、本発明の請求項１に係るレーザパワー制御装置は、光ディスクに照射するレーザ光のレーザパワーの出力制御を行なうレーザパワー制御装置において、記録データ列に応じたレーザの発光パターンを出力する記録パターン出力部と、前記記録パターン出力部の出力に従って、レーザを発光するレーザ発光部と、前記レーザ発光部の出射光量を測定する光量検出部と、前記光量検出部の出力からデータ記録時の光量を検出し保持する、帯域制限の切り替えが可能な帯域制限付サンプルホールド回路と、前記記録パターン出力部の出力信号に従って、前記帯域制限付サンプルホールド回路におけるサンプルタイミングを出力するサンプルタイミング信号出力部と、前記帯域制限付サンプルホールド回路の出力から、記録開始時の前記レーザ発光部のレーザ駆動量を演算するフィードフォワード制御部と、前記帯域制限付サンプルホールド回路の出力から、前記レーザ発光部のレーザ駆動量を演算するフィードバック制御部と、記録開始時は、前記帯域制限付サンプルホールド回路の帯域を制限せずに前記フィードフォワード制御部を動作させ、これ以降の記録中は、前記帯域制限付サンプルホールド回路の帯域を制限して前記フィードバック制御部を動作させる制御部と、を有することを特徴とする。
【００２０】
これにより、フィードバック制御時の帯域制限付サンプルホールド回路のノイズの影響を抑えることができ、レーザパワーを安定に制御することができる。
【００２１】
また、本発明の請求項２に係るレーザパワー制御装置は、請求項１に記載のレーザパワー制御装置において、前記制御部は、前記フィードフォワード制御部の動作から前記フィードバック制御部の動作に切り替える際に、一定時間前記フィードバック制御部の動作をホールドさせることを特徴とする。
【００２２】
これにより、前記帯域制限付サンプルホールド回路の帯域制限をＯＮにした際に、その出力が静定していない状態の影響を除去することができ、前記帯域制限付サンプルホールド回路のノイズの影響を抑え、レーザパワーを安定に制御することができる。
【００２３】
また、本発明の請求項３に係るレーザパワー制御装置は、請求項１に記載のレーザパワー制御装置において、前記サンプルタイミング信号出力部の出力をカウントするサンプルカウンタ部を更に備え、前記制御部は、前記フィードフォワード制御部から前記フィードバック制御部に動作を切り替える際に、前記サンプルカウンタ部のカウント値が一定数を超えるまで、前記フィードバック制御部の動作をホールドさせることを特徴とする。
【００２４】
これにより、前記帯域制限付サンプルホールド回路の帯域制限をＯＮにした際に、その出力が静定していない状態の影響を除去することができ、前記帯域制限付サンプルホールド回路のノイズの影響を抑え、レーザパワーを安定に制御することができる。
【００２５】
また、本発明の請求項４に係るレーザパワー制御装置は、請求項２に記載のレーザパワー制御装置において、前記制御部は、光ディスクへの記録倍速に応じて、前記フィードバック制御部の動作をホールドする時間を変更することを特徴とする。
【００２６】
これにより、前記帯域制限付サンプルホールド回路の帯域制限をＯＮにした際に、その出力が静定していない状態の影響を除去することができ、前記帯域制限付サンプルホールド回路のノイズの影響を抑え、レーザパワーを安定に制御することができる。
【００２７】
また、本発明の請求項５に係るレーザパワー制御装置は、請求項２に記載のレーザパワー制御装置において、前記制御部は、前記フィードフォワード制御部の出力するレーザ駆動量の変動量に応じて、前記フィードバック制御部の動作をホールドする時間を変更することを特徴とする。
【００２８】
これにより、前記帯域制限付サンプルホールド回路の帯域制限をＯＮにした際に、その出力が静定していない状態の影響を除去することができ、前記帯域制限付サンプルホールド回路のノイズの影響を抑え、レーザパワーを安定に制御することができる。
【００２９】
また、本発明の請求項６に係るレーザパワー制御装置は、請求項１に記載のレーザパワー制御装置において、前記帯域制限付サンプルホールド回路の入力を基準電圧に切り替えるミュート部と、前記入力ミュート部の信号出力を制御して前記帯域制限付サンプルホールド回路の特性変動を測定する変動測定部と、を備え、前記制御部は、前記変動測定部の動作開始と共に、前記フィードバック制御部の動作をホールドし、前記変動測定部の動作が終了した後所定時間経過後に、前記フィードバック制御部の動作のホールドを解除することを特徴とする。
【００３０】
これにより、温度特性の変動を除去しつつ、前記帯域制限付サンプルホールド回路の帯域制限をＯＮにした際の、その出力が静定していない状態の影響を除去することができ、前記帯域制限付サンプルホールド回路のノイズの影響を抑え、レーザパワーを安定に制御することができる。
【００３１】
また、本発明の請求項７に係るレーザパワー制御装置は、請求項１に記載のレーザパワー制御装置において、前記記録パターン出力部は、記録開始時に通常の記録パターンより長いマークを出力し、前記サンプルタイミング信号出力部は、前記通常の記録パターンより長いマークに応じて、通常のサンプルタイミング信号よりも長いサンプルタイミング信号を出力することを特徴とする。
【００３２】
これにより、フィードフォワード制御時に前記帯域制限付サンプルホールド回路に必要とされる帯域を抑えることができ、ノイズの影響を抑えて、フィードフォワード制御時のレーザパワーを安定に制御することができる。
【００３３】
また、本発明の請求項８に係るレーザパワー制御装置は、請求項１に記載のレーザパワー制御装置において、前記記録パターン出力部は、記録開始時に一定の長さの矩形波を出力するものであり、前記サンプルタイミング信号出力部は、前記一定の長さの矩形波に応じて、通常のサンプルタイミング信号よりも長いサンプルタイミング信号を出力することを特徴とする。
【００３４】
これにより、フィードフォワード制御時に前記帯域制限付サンプルホールド回路に必要とされる帯域を抑えることができ、ノイズの影響を抑えて、フィードフォワード制御時のレーザパワーを安定に制御することができる。
【００３５】
また、本発明の請求項９に係るレーザパワー制御装置は、請求項８に記載のレーザパワー制御装置において、前記サンプルタイミング信号出力部は、前記フィードバック制御部の動作が開始するまで、記録開始後最初に出力されるサンプルタイミング信号以降のサンプルタイミング信号の出力を停止することを特徴とする。
【００３６】
これにより、フィードフォワード制御時に前記帯域制限付サンプルホールド回路に必要とされる帯域を抑え、かつ、記録開始直後の高精度のサンプルデータをフィードフォワード制御中保持するることができ、ノイズの影響を抑えて、フィードフォワード制御時のレーザパワーを安定に制御することができる。
【発明の効果】
【００３７】
本発明のレーザパワー制御装置によれば、データの高速記録時において、光量検出信号をサンプリングするサンプルホールド回路の帯域を抑えることができ、これにより、ノイズの影響を抑え、安定したレーザパワー制御を実現することができる。
【発明を実施するための最良の形態】
【００３８】
（実施の形態１）
本実施の形態１に係るレーザパワー制御装置は、帯域制限の切替機能を有するサンプルホールド回路を用いて記録媒体にデータを書き込む際のレーザパワー制御を行うものであり、記録開始時の初回のレーザパワー制御のみ、サンプルホールド回路の帯域を制限せずにフィードフォワード制御を行い、その後の記録中は、サンプルホールド回路の帯域を制限してフィードバック制御によるレーザパワー制御を実行し、これにより、ノイズの影響を抑え、高速記録時の安定したレーザパワー制御を行なうことが可能なレーザパワー制御装置を実現するものである。
【００３９】
図１は、本実施の形態１に係るレーザパワー制御装置の構成を表すブロック図である。なお、本実施の形態１では、記録媒体としてＤＶＤ−Ｒを用いる場合について説明する。
【００４０】
本実施の形態１に係るレーザパワー制御装置１００は、記録パターン出力部１０１と、レーザ発光部１０２と、光量検出部１０３と、サンプルタイミング信号出力部１０４と、第１の帯域制限機能付きサンプルホールド回路（第１の帯域制限付ＳＨ回路）１０５ａと、第２の帯域制限機能付きサンプルホールド回路（第２の帯域制限付ＳＨ回路）１０５ｂと、フィードフォワード制御部（ＦＦ制御部）１０６と、フィードバック制御部（ＦＢ制御部）１０７と、制御部１０８とを有している。
【００４１】
記録パターン出力部１０１は、記録開始を示す記録開始信号Ｓ１と、光ディスクに記録する記録データ列に応じたレーザ発光パターン信号Ｄ１を出力するものである。レーザ発光部１０２は、記録パターン出力部１０１から出力されるレーザ発光パターン信号Ｄ１に基づいてレーザ光ＬＤ１を出力するものである。光量検出部１０３は、レーザ発光部１０２から出力されるレーザ光ＬＤの１出力パワーを検出し、光量検出信号ＬＤ２を出力するものである。
【００４２】
サンプルタイミング信号出力部１０４は、第１の帯域制限付ＳＨ回路１０５ａ、及び第２の帯域制限付ＳＨ回路１０５ｂにおける光量検出信号ＬＤ２のサンプルタイミングを出力するものであり、記録パターン出力部１０１から出力されるレーザ発光パターン信号Ｄ１から、記録データ列のマーク部、及びスペース部を検出し、予め設定した長さ以上のマーク部を検出した場合に、サンプルタイミング信号Ｔａを出力し、予め設定した長さ以上のスペース部を検出した場合に、サンプルタイミング信号Ｔｂを出力する。
【００４３】
第１の帯域制限付ＳＨ回路１０５ａは、サンプルタイミング信号出力部１０４から出力されるサンプルタイミング信号Ｔａに従い、光量検出部１０３から出力される光量検出信号ＬＤ２をサンプルするものである。第２の帯域制限付ＳＨ回路１０５ｂは、サンプルタイミング信号出力部１０４から出力されるサンプルタイミング信号Ｔｂに従い、光量検出部１０３から出力される光量検出信号ＬＤ２をサンプルするものである。なお、第１の帯域制限付ＳＨ回路１０５ａ、及び第２の帯域制限付ＳＨ回路１０５ｂはそれぞれ、帯域制限のＯＮ／ＯＦＦが切り替え可能なものであって、制御部１０８から出力される制御信号Ｃ３により、帯域制限のＯＮ／ＯＦＦが制御される。
【００４４】
フィードフォワード制御部１０６は、第１の帯域制限付ＳＨ回路１０５ａ、及び第２の帯域制限付ＳＨ回路１０５ｂの出力に基づいて、記録開始直後のレーザ発光部１０２のレーザ駆動量を、フィードフォワード制御するものである。フィードバック制御部１０７は、第１の帯域制限付ＳＨ回路１０５ａ、及び第２の帯域制限付ＳＨ回路１０５ｂの出力に基づいて、記録動作中のレーザ発光部１０２のレーザ駆動量をフィードバック制御するものである。
【００４５】
制御部１０８は、レーザ駆動量の制御方式の切り替えを行なうものである。具体的には、記録開始直後は、フィードフォワード制御部１０６を動作させ、これ以降の記録動作中は、フィードバック制御１０７を動作させる。また、制御部１０８は、フィードフォワード制御からフィードバック制御へ切り替わるタイミングで、帯域制限制御信号Ｃ３を、第１の帯域制限付ＳＨ回路１０５ａ、及び第２の帯域制限付ＳＨ回路１０５ｂに対して出力し、第１の帯域制限付ＳＨ回路１０５ａ、及び第２の帯域制限付ＳＨ回路１０５ｂの帯域制限のＯＮ／ＯＦＦを切り替える。なお、制御部１０８は、データ再生時には、第１の帯域制限付ＳＨ回路１０５ａ、及び第２の帯域制限付ＳＨ回路１０５ｂの帯域制限をＯＦＦにしている。
【００４６】
次に、以上のように構成されるレーザパワー制御装置１００の動作について、図２を参照しながら説明する。図２（ａ）は、記録開始信号Ｓ１の出力を、図２（ｂ）は制御部１０８によるレーザパワーの制御状態を、図２（ｃ）はレーザ発光パターン信号Ｄ１を、図２（ｄ）は光量検出信号ＬＤ２の出力を、図２（ｅ）はサンプルタイミング信号Ｔａ，Ｔｂの出力を、図２（ｆ）は帯域制限制御信号Ｃ３の出力を、図２（ｇ）は第１の帯域制限付ＳＨ回路１０５ａ、及び第２の帯域制限付ＳＨ回路１０５ｂの出力をそれぞれ表す。なお、図２（ａ）において、記録開始信号Ｓ１は、Ｈｉｇｈで記録開始を示す。また、図２（ｆ）において、帯域制限制御信号Ｃ３は、Ｌｏｗで帯域制限をＯＦＦにし、Ｈｉｇｈで帯域制限をＯＮにする。
【００４７】
光ディスク装置がデータ再生を行なっている状態において、ｔ１のタイミングで記録動作が開始すると、記録開始信号Ｓ１が、記録パターン出力部１０１から、制御部１０８に対して出力される（ａ）。また、レーザ発光パターン信号Ｄ１が、レーザ発光部１０２、及びサンプルタイミング信号出力部１０４に出力される（ｃ）。
【００４８】
記録開始信号Ｓ１が、制御部１０８に入力すると、制御信号Ｃ１が、制御部１０８からフィードフォワード制御部１０６に対して出力され、これにより、フィードフォワード制御部１０６の動作が開始し、レーザパワー制御装置１００の制御系が、フィードフォワード制御に切り替わる（ｂ）。
【００４９】
また、サンプルタイミング信号出力部１０４では、記録データ列のマーク部、及びスペース部に相当する領域が順次検出され、予め設定された長さのマーク部領域が検出されると、サンプルタイミング信号Ｔａが第１の帯域制限付ＳＨ回路１０５ａに出力され、予め設定された長さのスペース部領域が検出されると、サンプルタイミング信号Ｔｂが第２の帯域制限付ＳＨ回路１０５ｂが出力される（ｅ）。
【００５０】
一方、レーザ発光部１０２からは、レーザ発光パターン信号Ｄ１に従って、レーザＬＤ１が発光され、そのレーザパワーが光量検出部１０３にて測定される。そして、レーザパワーの測定結果は、光量検出信号ＬＤ２として、第１の帯域制限付ＳＨ回路１０５ａ、及び第２の帯域制限付ＳＨ回路１０５ｂに出力される（ｄ）。
【００５１】
第１の帯域制限付ＳＨ回路１０５ａでは、光量検出信号ＬＤ２が、サンプルタイミング信号Ｔａに従って、帯域制限オフの状態で高速にサンプルホールドされ、また、第２の帯域制限付ＳＨ回路１０５ｂにおいても同様に、光量検出信号ＬＤ２が、サンプルタイミング信号Ｔｂに従って、帯域制限オフの状態で高速にサンプルホールドされる（ｇ）。これら、第１の帯域制限付ＳＨ回路１０５ａ、及び第２の帯域制限付ＳＨ回路１０５ｂのサンプルデータＤ２，Ｄ３はそれぞれ、フィードフォワード制御部１０６、及びフィードバック制御部１０７に出力される。
【００５２】
サンプルデータＤ２，Ｄ３が、フィードフォワード制御部１０６に入力されると、フィードフォワード制御部１０６内の演算部（図示せず）により、サンプルデータＤ２，Ｄ３と、レーザ発光パターンの設定内容とに基づいて、目標となるレーザ駆動量が算出され、該レーザ駆動量ＬＣがレーザ発光部１０２に出力される。
【００５３】
以上の動作により、記録開始時は、フィードフォワード制御によるレーザ駆動量の制御が行なわれ、かかる制御のもとで、レーザ発光部１０２から、レーザＬＤ１が発光される。
【００５４】
次に、フィードフォワード制御部１０６の動作が完了するｔ２のタイミングにおいて、制御部１０８は、制御信号Ｃ２を出力してフィードバック制御部１０７の動作をＯＮにすると共に、制御信号Ｃ３を出力して第１の帯域制限付ＳＨ回路１０５ａ、及び第２の帯域制限付ＳＨ回路１０５ｂの帯域制限をＯＮにする。
【００５５】
レーザ発光パターン信号Ｄ１、サンプルタイミング信号Ｔａ，Ｔｂ、及び光量検出信号ＬＤ２は、ｔ２以降においても、上述した動作が繰り返し行なわれることにより継続的に出力されており、第１の帯域制限付ＳＨ回路１０５ａでは、ｔ２以降、光量検出部１０３から出力される光量検出信号ＬＤ２が、サンプルタイミング信号Ｔａに従って、帯域制限付きでサンプルホールドされ、また、第２の帯域制限付ＳＨ回路１０５ｂにおいても同様に、ｔ２以降、光量検出信号ＬＤ２が、サンプルタイミング信号Ｔｂに従って、帯域制限付きでサンプルホールドされる。そして、これら、第１の帯域制限付ＳＨ回路１０５ａ、及び第２の帯域制限付ＳＨ回路１０５ｂのサンプルデータＤ２，Ｄ３はそれぞれ、フィードフォワード制御部１０６、及びフィードバック制御部１０７に出力される。
【００５６】
ここで、図２のｔ３のタイミングで、光量検出部１０３の出力である光量検出信号ＬＤ２にノイズＮＳが加わったとする。第１の帯域制限付ＳＨ回路１０５ａ、及び第２の帯域制限付ＳＨ回路１０５ｂでは、光量検出信号ＬＤ２が、帯域制限付きでサンプルホールドされているため、帯域制限がＯＦＦの場合のサンプルデータ（図２（ｇ）において、Ｄ２’で示す。）に比べて、ノイズの影響の少ないサンプルデータＤ２，Ｄ３が出力される（ｇ）。
【００５７】
フィードバック制御部１０７では、第１の帯域制限付ＳＨ回路１０５ａ、及び第２の帯域制限付ＳＨ回路１０５ｂの出力Ｄ２，Ｄ３と、レーザ発光パターン信号Ｄ１の設定内容とに基づいて現在のレーザ駆動量が算出され、現在のレーザ駆動量と目標とするレーザ駆動量とが比較演算されて、レーザ発光部１０２におけるレーザ駆動量ＬＣが求められる。
【００５８】
レーザ発光部１０２は、ｔ４のタイミングで、上記フィードバック制御により算出されたレーザ駆動量ＬＣに従いレーザＬＤ１を発光するが、上述したように、ｔ３で生じたノイズＮＳの影響は抑えられているため、レーザ駆動量の変動は、帯域制限を用いない場合（図２（ｄ）において、ＬＤ２’で示す。）に比べて抑えられる。
【００５９】
そして、フィードバック制御が開始されたｔ２以降、上述したフィードバック制御によるレーザ駆動量ＬＣの制御が行なわれ、かかる制御のもとで、レーザ発光部１０２から、レーザＬＤ１が発光される。
【００６０】
以上のように、本実施の形態１では、フィードバック制御の開始と同時に、第１の帯域制限付ＳＨ回路１０５ａ、及び第２の帯域制限付ＳＨ回路１０５ｂの帯域を制限することとしたので、フィードバック制御時の、第１の帯域制限付ＳＨ回路１０５ａ、及び第２の帯域制限付ＳＨ回路１０５ｂのノイズの影響を抑えることができ、これにより、レーザパワーを安定に制御することが可能となる。
【００６１】
（実施の形態２）
本実施の形態２によるレーザパワー制御装置は、上述した実施の形態１のレーザパワー制御装置１００において、制御部１０８がレーザパワーの制御を、フィードフォワード制御からフィードバック制御に切り替える際に、一定時間フィードバック制御部１０７の動作をホールドさせることとし、これにより、帯域制限時のサンプルホールド回路の出力が静定していない状態の影響を除去し、フィードバック制御時の安定したレーザパワー制御を実現するものである。
【００６２】
図３は、本実施の形態２に係るレーザパワー制御装置３００の構成を表すブロック図である。なお、図３において、図１と同じ構成要素については、同じ符号を使用し、その説明を省略する。
【００６３】
図３において、制御部３０１は、上述した実施の形態１の制御部１０８に相当するものであり、本実施の形態２の制御部３０１は、タイマ３０２を備え、タイマ３０２が動作する一定の期間、ホールド信号Ｃ４をフィードバック制御部１０７に対して出力し、フィードバック制御部１０７の動作をホールドさせる。
【００６４】
次に、以上のように構成されるレーザパワー制御装置３００の動作について、図４を参照しながら説明する。図４（ａ）は、記録開始信号Ｓ１の出力を、図４（ｂ）は制御部３０１の制御状態を、図４（ｃ）はレーザ発光パターン信号Ｄ１の出力を、図４（ｄ）はホールド信号Ｃ４の出力を、図４（ｅ）は光量検出信号ＬＤ２の出力を、図４（ｆ）はサンプルタイミング信号Ｔａ，Ｔｂの出力を、図４（ｇ）は帯域制限制御信号Ｃ３を、図４（ｈ）は第１の帯域制限付ＳＨ回路１０５ａ、及び第２の帯域制限付ＳＨ回路１０５ｂの出力をそれぞれ表す。なお、図４（ｇ）において、ホールド信号Ｃ４は、Ｈｉｇｈでフィードバック制御部１０７の動作をホールドする。
【００６５】
制御部３０１は、データ再生時には、第１の帯域制限付ＳＨ回路１０５ａ、及び第２の帯域制限付ＳＨ回路１０５ｂの帯域制限をＯＦＦにしている。光ディスク装置がデータ再生を行なっている状態において、ｔ１のタイミングで記録動作が開始すると、上述した実施の形態１と同様に、記録パターン出力部１０１から記録開始信号Ｓ１が出力され（ａ）、フィードフォワード制御部１０６の動作がＯＮになる（ｂ）。レーザ発光部１０２からは、レーザ発光パターン信号Ｄ１に応じたレーザＬＤ１が発光され、光量検出部１０３において、そのレーザパワーが測定された後、光量検出信号ＬＤ２が、第１の帯域制限付ＳＨ回路１０５ａ、及び第２の帯域制限付ＳＨ回路１０５ｂに出力される（ｅ）。
【００６６】
第１の帯域制限付ＳＨ回路１０５ａ、及び第２の帯域制限付ＳＨ回路１０５ｂでは、光量検出信号ＬＤ２が、サンプルタイミング信号Ｔａ，Ｔｂに従い、帯域制限オフの状態で高速にサンプルホールドされ、サンプルデータＤ２，Ｄ３が、フィードフォワード制御部１０６、及びフィードバック制御部１０７に出力される（ｈ）。
【００６７】
そして、フィードフォワード制御部１０６では、サンプルデータＤ２，Ｄ３と、レーザ発光部１０２に設定されているレーザ発光パターンの設定内容とに基づいて、目標となるレーザ駆動量が算出され、該レーザ駆動量ＬＣがレーザ発光部１０２に出力される。
【００６８】
次に、記録開始後のｔ２のタイミングで、制御部３０１から、フィードバック制御部１０７に対して制御信号Ｃ２が出力され、これにより、フィードバック制御部１０７の動作がＯＮになり、レーザパワー制御装置３００の制御系がフィードバック制御に切り替わる（ｂ）。また、これと同時に、ホールド信号Ｃ４が出力されて（ｄ）、フィードバック制御部１０７がホールドされると共に、タイマ３０２の動作がスタートする。さらに、帯域制限制御信号Ｃ３が出力されて、第１の帯域制限付ＳＨ回路１０５ａ、及び第２の帯域制限付ＳＨ回路１０５ｂの帯域制限がＯＮになる（ｇ）。
【００６９】
第１の帯域制限付ＳＨ回路１０５ａは、ｔ２以降、光量検出部１０３から出力される光量検出信号ＬＤ２を、サンプルタイミング信号Ｔａに従って、帯域制限付きでサンプルホールドし、サンプルデータＤ２を出力する。また、第２の帯域制限付ＳＨ回路１０５ｂも同様に、光量検出信号ＬＤ２を、サンプルタイミング信号Ｔｂに従って、帯域制限付きでサンプルホールドし、サンプルデータＤ３を出力する（ｈ）。
【００７０】
ここで、第１の帯域制限付ＳＨ回路１０５ａ、及び第２の帯域制限付ＳＨ回路１０５ｂは、その帯域が制限されているため、第１の帯域制限付ＳＨ回路１０５ａ、及び第２の帯域制限付ＳＨ回路１０５ｂの出力は、ｔ２以降の一定期間は、図４（ｈ）に示すように、１回のサンプルでは出力が静定しない状態ＤＳにあるが、本実施の形態２の制御部３０１は、第１の帯域制限付ＳＨ回路１０５ａ、及び第２の帯域制限付ＳＨ回路１０５ｂの出力が安定するに十分な時間、つまり、タイマ３０２の動作終了まで、フィードバック制御部１０７に対してホールド信号Ｃ４を出力し（ｃ）、その動作をホールドする（ｂ）。
【００７１】
ｔ３のタイミングで、タイマ３０２の動作が終了すると、制御部３０１は、ホールド信号Ｃ４の出力を停止し（ｃ）、フィードバック制御部１０７のホールドを解除する（ｂ）。
【００７２】
ｔ３以降は、第１の帯域制限付ＳＨ回路１０５ａ、及び第２の帯域制限付ＳＨ回路１０５ｂから、静定後の値Ｄ２，Ｄ３がフィードバック制御部１０７に対して出力され、フィードバック制御部１０７により、第１の帯域制限付ＳＨ回路１０５ａ、及び第２の帯域制限付ＳＨ回路１０５ｂの静定後の出力からレーザ駆動量ＬＣが算出されて、レーザ発光部１０２に出力される。
【００７３】
そして、ｔ３以降、データ記録が終了するまでは、上述した実施の形態１と同様に、フィードバック制御部１０７によるレーザ駆動量のフィードバック制御が行なわれ、かかる制御のもとで、レーザ発光部１０２から、レーザＬＤ１が発光される。
【００７４】
以上のように、本実施の形態２では、フィードバック制御の開始後、第１の帯域制限付ＳＨ回路１０５ａ、及び第２の帯域制限付ＳＨ回路１０５ｂの出力が安定するまでの一定期間、タイマ３０１を用いてフィードバック制御部１０７をホールドすることとしたので、出力値が静定した後のサンプルデータを用いてフィードバック制御を行うことができ、これにより、安定したレーザパワー制御を行うことが可能となる。
【００７５】
（実施の形態３）
本実施の形態３は、上記実施の形態２に係るレーザ制御装置において、タイマ３０２に代えて、サンプルタイミング信号Ｔａ，Ｔｂをカウントするカウンタを備えるものであり、制御部１０８がレーザパワーの制御を、フィードフォワード制御からフィードバック制御に切り替える際に、前記カウンタの出力を用いて、一定時間フィードバック制御部１０７の動作をホールドさせ、これにより、フィードバック制御時の安定したレーザパワー制御を実現するものである。
【００７６】
図５は、本実施の形態３に係るレーザパワー制御装置５００の構成を表すブロック図である。なお、図５において、図１、及び図３と同じ構成要素については、同じ符号を使用し、その説明を省略する。
【００７７】
図５において、サンプルカウンタ部５０１は、サンプルタイミング信号出力部１０４から出力されるサンプルタイミング信号Ｔａ，Ｔｂをカウントするものであり、サンプルタイミング信号Ｔａ，Ｔｂを一定数カウントすると、制御部５０２に対して、カウント信号ＣＳを出力する。
【００７８】
制御部５０２は、フィードフォワード制御部１０６を動作させた後、サンプルカウンタ部５０１からカウント信号ＣＳの入力を受けるまで、フィードバック制御５０７の動作をホールドする。なお、制御部５０２は、フィードバック制御部１０７の動作をＯＮにすると同時にリセット信号Ｃ５を出力して、サンプルカウンタ部５０１のカウント値をリセットする。
【００７９】
次に、以上のように構成されるレーザパワー制御装置５００の動作について、図６を参照しながら説明する。図６（ａ）は、記録開始信号Ｓ１の出力を、図６（ｂ）は制御部３０１の制御状態を、図６（ｃ）はレーザ発光パターン信号Ｄ１の出力を、図６（ｄ）はホールド信号Ｃ４の出力を、図６（ｅ）は光量検出信号ＬＤ２の出力を、図６（ｆ）はサンプルタイミング信号Ｔａ，Ｔｂの出力を、図６（ｇ）は帯域制限制御信号Ｃ３を、図６（ｈ）は第１の帯域制限付ＳＨ回路１０５ａ、及び第２の帯域制限付ＳＨ回路１０５ｂの出力をそれぞれ表す。なお、図６（ｇ）において、ホールド信号Ｃ４は、Ｈｉｇｈでフィードバック制御部１０７の動作をホールドする。
【００８０】
制御部３０１は、データ再生時には、第１の帯域制限付ＳＨ回路１０５ａ、及び第２の帯域制限付ＳＨ回路１０５ｂの帯域制限をＯＦＦにしている。光ディスク装置がデータ再生を行なっている状態において、ｔ１のタイミングで記録動作が開始すると、上述した実施の形態１と同様に、記録パターン出力部１０１から記録開始信号Ｓ１が出力され（ａ）、フィードフォワード制御部１０６の動作がＯＮになる（ｂ）。レーザ発光部１０２からは、レーザ発光パターン信号Ｄ１に応じたレーザＬＤ１が発光され、光量検出部１０３において、そのレーザパワーが測定された後、光量検出信号ＬＤ２が、第１の帯域制限付ＳＨ回路１０５ａ、及び第２の帯域制限付ＳＨ回路１０５ｂに出力される（ｅ）。
【００８１】
第１の帯域制限付ＳＨ回路１０５ａ、及び第２の帯域制限付ＳＨ回路１０５ｂでは、光量検出信号ＬＤ２が、サンプルタイミング信号Ｔａ，Ｔｂに従い、帯域制限オフの状態で高速にサンプルホールドされ、サンプルデータＤ２，Ｄ３が、フィードフォワード制御部１０６、及びフィードバック制御部１０７に出力される（ｈ）。
【００８２】
そして、フィードフォワード制御部１０６では、サンプルデータＤ２，Ｄ３と、レーザ発光部１０２に設定されているレーザ発光パターンの設定内容とに基づいて、目標となるレーザ駆動量が算出され、該レーザ駆動量ＬＣがレーザ発光部１０２に出力される。
【００８３】
次に、記録開始後のｔ２のタイミングで、制御部５０２から、制御信号Ｃ３が出力されると、第１の帯域制限付ＳＨ回路１０５ａ、及び第２の帯域制限付ＳＨ回路１０５ｂの帯域制限がＯＮになる（ｇ）。また、フィードバック制御部１０７に対しては、制御信号Ｃ２が出力され、フィードバック制御部１０７の動作がＯＮになり、これと同時に、ホールド信号Ｃ４が出力されてフィードバック制御部１０７がホールドされる（ｄ）。更に、ホールド信号Ｃ４の出力と同時に、サンプルサンプルカウンタ部５０１に対してリセット信号Ｃ５が出力され、これにより、サンプルカウンタ部５０１のカウント値がリセットされる。
【００８４】
サンプルカウンタ部５０１では、サンプルタイミング信号Ｔａ，Ｔｂが順次カウントされ、ｔ３のタイミングで、第１の帯域制限付ＳＨ回路１０５ａ、及び第２の帯域制限付ＳＨ回路１０５ｂの出力が安定するのに必要な数のサンプルタイミング信号Ｔａ，Ｔｂがカウントされると、カウント信号ＣＳが、サンプルカウンタ部５０１から、制御部５０２に対して出力される。制御部５０２は、カウント信号ＣＳを受けて、ホールド信号Ｃ４の出力を停止し（ｄ）、これにより、フィードバック制御部５０７のホールドが解除される（ｂ）。
【００８５】
ｔ３以降は、第１の帯域制限付ＳＨ回路１０５ａ、及び第２の帯域制限付ＳＨ回路１０５ｂから、静定後の値がフィードバック制御部１０７に対して出力され、フィードバック制御部１０７により、第１の帯域制限付ＳＨ回路１０５ａ、及び第２の帯域制限付ＳＨ回路１０５ｂの静定後の出力からレーザ駆動量ＬＣが算出されて、レーザ発光部１０２に出力される。
【００８６】
そして、フィードバック制御部１０７のホールドが解除されたｔ３以降、データ記録が終了するまでは、上述したフィードバック制御によるレーザ駆動量ＬＣの制御が行なわれ、レーザ発光部１０２は、かかる制御のもとでレーザＬＤを発光する。
【００８７】
以上のように、本実施の形態３では、レーザパワー制御がフィードフォワード制御からフィードバック制御に切り替わる際に、第１の帯域制限付ＳＨ回路１０５ａ、及び第２の帯域制限付ＳＨ回路１０５ｂの出力が安定するまで、フィードバック制御部１０７の動作を、サンプルカウンタ部５０１のカウント値に基づいてホールドさせることとしたので、出力値が静定した後のサンプルデータを用いてフィードバック制御を行うことができ、これにより、記録開始時のレーザパワーを安定に制御することができる。
【００８８】
特に、本実施の形態３のレーザパワー制御装置によれば、第１の帯域制限付ＳＨ回路１０５ａ、及び第２における帯域制限付ＳＨ回路１０５ｂのサンプル回数が、その出力が静定するのに必要な回数をクリアしているか否かを直接判断することができるので、上述した実施の形態２に比べて、第１の帯域制限付ＳＨ回路１０５ａ、及び第２の帯域制限付ＳＨ回路１０５ｂの出力が静定し次第、速やかにフィードバック制御に移ることができ、安定かつ迅速な制御が可能となる。
【００８９】
（実施の形態４）
本実施の形態４によるレーザパワー制御装置は、上述した実施の形態２のレーザパワー制御装置３００において、タイマ３０２の動作時間を、記録速度に関する速度情報に応じて適応的に設定し、これにより、フィードバック制御部１０７のホールド時間を短縮させて、迅速かつ安定したレーザパワー制御を実現するものである。
【００９０】
図７は、本実施の形態４に係るレーザパワー制御装置７００の構成を表すブロック図である。なお、図７において、図１、及び図３と同じ構成要素については、同じ符号を使用し、その説明を省略する。
【００９１】
図７において、本実施の形態４の制御部７０１は、タイマ３０２と速度情報格納部７０２とを有する。
【００９２】
タイマ３０２は、フィードフォワード制御部１０６の動作後、一定の期間フィードバック制御７０７の動作をホールドするために用いられるものである。速度情報格納部７０２は、当該レーザパワー制御装置７００が搭載される光ディスク装置の記録速度に関する情報（以下、「速度情報」とする。）を保持するものである。速度情報は、光ディスク装置の記録状態に応じて書き換えられる。
【００９３】
本実施の形態４の制御部７０１は、速度情報格納部７０２に格納される速度情報を元に、１回のサンプル時間などを考慮してタイマ３０２の待ち時間を決定する。具体的には、光ディスクへのデータの記録倍速によって、記録パルスの幅が変わるため、低倍速ではサンプルパルス幅を大きく取ることができ、第１の帯域制限付ＳＨ回路１０５ａ、及び第２の帯域制限付ＳＨ回路１０５ｂの静定に必要なパルス数が少なくなる。逆に、高倍速ではサンプルパルス幅が小さくなるため、第１の帯域制限付ＳＨ回路１０５ａ、及び第２の帯域制限付ＳＨ回路１０５ｂの静定に必要なパルス数が多くなる。また、低倍速時と高倍速時とでは、サンプリングができるパルスの種類が異なるものとなる。制御部７０１は、これらを考慮した上で、タイマ３０２の待ち時間を変更する。
【００９４】
次に、以上のように構成されるレーザパワー制御装置７００の動作について、図８を参照しながら説明する。図８（ａ）は、記録開始信号Ｓ１の出力を、図８（ｂ）は制御部７０１の制御状態を、図８（ｃ）はレーザ発光パターン信号Ｄ１の出力を、図８（ｄ）はホールド信号Ｃ４の出力を、図８（ｅ）は光量検出信号ＬＤ２の出力を、図８（ｆ）はサンプルタイミング信号Ｔａ，Ｔｂの出力を、図８（ｇ）は帯域制限制御信号Ｃ３を、図８（ｈ）は第１の帯域制限付ＳＨ回路１０５ａ、及び第２の帯域制限付ＳＨ回路１０５ｂの出力をそれぞれ表す。
【００９５】
制御部７０１は、データ再生時には、第１の帯域制限付ＳＨ回路１０５ａ、及び第２の帯域制限付ＳＨ回路１０５ｂの帯域制限をＯＦＦにしている。光ディスク装置がデータ再生を行なっている状態において、ｔ１のタイミングで記録動作が開始されると、上述した実施の形態１と同様に、記録パターン出力部１０１から記録開始信号Ｓ１が出力され（ａ）、フィードフォワード制御部１０６の動作がＯＮになる（ｂ）。レーザ発光部１０２からは、レーザ発光パターン信号Ｄ１に応じたレーザＬＤ１が発光され、光量検出部１０３において、レーザパワーが測定された後、光量検出信号ＬＤ２が、第１の帯域制限付ＳＨ回路１０５ａ、及び第２の帯域制限付ＳＨ回路１０５ｂに出力される（ｅ）。
【００９６】
第１の帯域制限付ＳＨ回路１０５ａ、及び第２の帯域制限付ＳＨ回路１０５ｂでは、光量検出信号ＬＤ２が、サンプルタイミング信号Ｔａ，Ｔｂに従い、帯域制限オフの状態で高速にサンプルホールドされ、サンプルデータＤ２，Ｄ３が、フィードフォワード制御部１０６、及びフィードバック制御部１０７に出力される（ｈ）。
【００９７】
そして、フィードフォワード制御部１０６では、サンプルデータＤ２，Ｄ３と、レーザ発光パターンの設定内容とに基づいて、目標となるレーザ駆動量が算出され、該レーザ駆動量ＬＣがレーザ発光部１０２に出力される。
【００９８】
次に、記録開始後のｔ２のタイミングで、制御部７０１から、制御信号Ｃ３が出力され、これにより、第１の帯域制限付ＳＨ回路１０５ａ、及び第２の帯域制限付ＳＨ回路１０５ｂの帯域制限がＯＮになる（ｇ）。また、フィードバック制御部１０７に対しては、制御信号Ｃ２が出力され、フィードバック制御部１０７の動作がＯＮになり、これと同時に、ホールド信号Ｃ４が出力されてフィードバック制御部１０７がホールドされる（ｄ）。更に、当該タイミングで、タイマ３０２の動作が開始する。
【００９９】
第１の帯域制限付ＳＨ回路１０５ａは、ｔ２以降、光量検出部１０３から出力される光量検出信号ＬＤ２を、サンプルタイミング信号Ｔａに従って、帯域制限付きでサンプルホールドし、サンプルデータＤ２を出力する。また、第２の帯域制限付ＳＨ回路１０５ｂも同様に、光量検出信号ＬＤ２を、サンプルタイミング信号Ｔｂに従って、帯域制限付きでサンプルホールドし、サンプルデータ値Ｄ３を出力する（ｈ）。
【０１００】
第１の帯域制限付ＳＨ回路１０５ａ、及び第２の帯域制限付ＳＨ回路１０５ｂは、その帯域が制限されているため、第１の帯域制限付ＳＨ回路１０５ａ、及び第２の帯域制限付ＳＨ回路１０５ｂから出力されるサンプルデータＤ２，Ｄ３は、ｔ２以降の一定期間は、図４（ｈ）に示すように、１回のサンプルでは出力が静定しない状態ＤＳにあるが、制御部７０１は、第１の帯域制限付ＳＨ回路１０５ａ、及び第２の帯域制限付ＳＨ回路１０５ｂの出力が安定するに十分な時間、つまり、タイマ３０２の動作終了まで、フィードバック制御部１０７に対してホールド信号Ｃ４を出力し（ｃ）、その動作をホールドする（ｂ）。
【０１０１】
ｔ３のタイミングで、タイマ３０２の動作が終了すると、制御部７０１は、ホールド信号Ｃ４の出力を停止し（ｃ）、フィードバック制御部１０７のホールドを解除する（ｂ）。
【０１０２】
ここで、上記実施の形態２では、タイマ３０２の動作時間は、第１の帯域制限付ＳＨ回路１０５ａ、及び第２の帯域制限付ＳＨ回路１０５ｂの出力が安定するに十分な時間が固定値として設定されており、フィードバック制御部１０７のホールド解除のタイミングは、実際に第１の帯域制限付ＳＨ回路１０５ａ、及び第２の帯域制限付ＳＨ回路１０５ｂの出力が安定した後所定時間経過後のｔ３’であったが、本実施の形態３では、速度情報に基づいてタイマ３０２の動作時間を設定しており、第１の帯域制限付ＳＨ回路１０５ａ、及び第２の帯域制限付ＳＨ回路１０５ｂの出力が安定するに必要十分な時間のみ、フィードバック制御部１０７の動作がホールドされるため、上記実施の形態２に比して、フィードバック制御部１０７のホールド時間が最適化される。
【０１０３】
そして、ｔ３以降、データ記録が終了するまでは、上述した実施の形態２と同様に、第１の帯域制限付ＳＨ回路１０５ａ、及び第２の帯域制限付ＳＨ回路１０５ｂから、静定後の値Ｄ２，Ｄ３がフィードバック制御部１０７に対して出力され、フィードバック制御部１０７により、第１の帯域制限付ＳＨ回路１０５ａ、及び第２の帯域制限付ＳＨ回路１０５ｂの静定後の値に基づいてレーザ駆動量ＬＣが算出されて、レーザパワーのフィードバック制御が行なわれる。
【０１０４】
以上のように、本実施の形態４では、速度情報格納部７０２に格納される速度情報に基づいて、タイマ３０２の動作時間を適応的に設定することとしたので、フィードバック制御部１０７のホールド時間を短縮することができ、これにより、迅速かつ安定したレーザパワー制御を実現することが可能となる。
【０１０５】
（実施の形態５）
本実施の形態５に係るレーザパワー制御装置は、上述した実施の形態２によるレーザパワー制御装置３００において、フィードフォワード制御部１０６から出力されるレーザ駆動量の変動量に応じて、タイマ３０２の動作時間を適応的に設定し、これにより、フィードバック制御部１０７のホールド時間を短縮させ、迅速かつ安定したレーザパワー制御を実現するものである。
【０１０６】
図９は、本実施の形態５に係るレーザパワー制御装置９００の構成を表すブロック図である。なお、図９において、図１、及び図３と同じ構成要素については、同じ符号を使用し、その説明を省略する。
【０１０７】
本実施の形態５に係るレーザパワー制御装置９００では、フィードフォワード制御部１０６において算出されたレーザ駆動量ＬＣの変動量Ｄ４が、制御部９０１に対して出力される。また、制御部９０１は、当該変動量Ｄ４に基づいて、タイマ３０２の動作時間を設定する。
【０１０８】
次に、以上のように構成されるレーザパワー制御装置９００の動作について、図１０を参照しながら説明する。図１０（ａ）は、記録開始信号Ｓ１の出力を、図１０（ｂ）は制御部９０１の制御状態を、図１０（ｃ）はレーザ発光パターン信号Ｄ１の出力を、図１０（ｄ）はホールド信号Ｃ４の出力を、図１０（ｅ）は光量検出信号ＬＤ２の出力を、図１０（ｆ）はサンプルタイミング信号Ｔａ，Ｔｂの出力を、図１０（ｇ）は帯域制限制御信号Ｃ３を、図１０（ｈ）は第１の帯域制限付ＳＨ回路１０５ａ、及び第２の帯域制限付ＳＨ回路１０５ｂの出力をそれぞれ表す。
【０１０９】
制御部９０１は、データ再生時には、第１の帯域制限付ＳＨ回路１０５ａ、及び第２の帯域制限付ＳＨ回路１０５ｂの帯域制限をＯＦＦにしている。光ディスク装置がデータ再生を行なっている状態において、ｔ１のタイミングで記録動作が開始されると、上述した実施の形態２と同様に、記録パターン出力部１０１から記録開始信号Ｓ１が出力され（ａ）、フィードフォワード制御部１０６の動作がＯＮになる（ｂ）。レーザ発光部１０２からは、記録データに応じたレーザＬＤ１が発光され、光量検出部１０３において、レーザパワーが測定された後、光量検出信号ＬＤ２が、第１の帯域制限付ＳＨ回路１０５ａ、及び第２の帯域制限付ＳＨ回路１０５ｂに出力される（ｅ）。
【０１１０】
第１の帯域制限付ＳＨ回路１０５ａ、及び第２の帯域制限付ＳＨ回路１０５ｂでは、光量検出信号ＬＤ２が、サンプルタイミング信号Ｔａ，Ｔｂに従い、帯域制限オフの状態で高速にサンプルホールドされ、サンプルデータＤ２，Ｄ３が、フィードフォワード制御部１０６、及びフィードバック制御部１０７に出力される（ｈ）。
【０１１１】
そして、フィードフォワード制御部１０６では、サンプルデータＤ２，Ｄ３と、レーザ発光部１０２に設定されているレーザ発光パターンの設定内容とに基づいて、目標となるレーザ駆動量が算出され、該レーザ駆動量ＬＣがレーザ発光部１０２に出力される。
【０１１２】
次に、記録開始後のｔ２のタイミングで、制御部９０１から、制御信号Ｃ３が出力され、これにより、第１の帯域制限付ＳＨ回路１０５ａ、及び第２の帯域制限付ＳＨ回路１０５ｂの帯域制限がＯＮになる（ｇ）。また、フィードバック制御部１０７に対しては、制御信号Ｃ２が出力され、フィードバック制御部１０７の動作がＯＮになり、これと同時に、ホールド信号Ｃ４が出力されて（ｄ）、フィードバック制御部１０７がホールドされる（ｂ）。
【０１１３】
制御部９０１は、フィードフォワード制御部１０６から出力されるレーザ駆動量の変動量Ｄ４に従い、第１の帯域制限付ＳＨ回路１０５ａ、及び第２の帯域制限付ＳＨ回路１０５ｂの出力が安定するに必要十分な時間をウェイトするよう、タイマ３０２の動作時間を設定する。例えば、レーザ駆動量の変化Ｄ４が小さく、サンプルデータの変化が小さい場合は、帯域制限によってサンプルホールド回路が静定するのに必要なサンプル回数を少なくすることができるため、かかる場合には、タイマ３０２の動作時間を短く設定する。
【０１１４】
ｔ３のタイミングで、タイマ３０２の動作が終了すると、制御部９０１は、ホールド信号Ｃ４の出力を停止し（ｃ）、フィードバック制御部１０７のホールドを解除する（ｂ）。
【０１１５】
ここで、上記実施の形態２では、タイマ３０２の動作時間は、第１の帯域制限付ＳＨ回路１０５ａ、及び第２の帯域制限付ＳＨ回路１０５ｂの出力が安定するに十分な時間が固定値として設定されており、フィードバック制御部１０７のホールド解除のタイミングは、ｔ３’であったが、本実施の形態３では、フィードフォワード制御部１０６から出力されるレーザ駆動量の変動量Ｄ４に応じて、タイマ３０２の動作時間が設定されており、第１の帯域制限付ＳＨ回路１０５ａ、及び第２の帯域制限付ＳＨ回路１０５ｂの出力が安定するに必要十分な時間のみ、フィードバック制御部１０７の動作がホールドされるため、上記実施の形態２に比して、フィードバック制御部１０７のホールド時間が最適化される。
【０１１６】
ｔ３以降は、上述した実施の形態２と同様に、データ記録が終了するまで、フィードバック制御部１０７によるレーザ駆動量のフィードバック制御が行なわれ、かかる制御のもとで、レーザ発光部１０２から、レーザＬＤ１が発光される。
【０１１７】
以上のように、本実施の形態５では、フィードフォワード制御部１０６から出力されるレーザ駆動量の変動量Ｄ４に応じて、タイマ３０２の動作時間を適応的に設定することとしたので、フィードバック制御部１０７のホールド時間を短縮することができ、これにより、迅速かつ安定したレーザパワー制御を実現することが可能となる。
【０１１８】
（実施の形態６）
本実施の形態６に係るレーザパワー制御装置は、上記実施の形態１に係るレーザパワー制御装置１００において、温度特性の変動による影響を除去するために入力信号を切り替える際に、第１の帯域制限付ＳＨ回路１０５ａ、及び第２の帯域制限付ＳＨ回路１０５ｂの出力が安定するまで、フィードフォワード制御部１０６の動作をホールドさせて、安定したレーザパワー制御を実現するものである。
【０１１９】
図１１は、本実施の形態６に係るレーザパワー制御装置１１００の構成を表すブロック図である。なお、図１１において、図１と同じ構成要素については、同じ符号を使用し、その説明を省略する。
【０１２０】
図１１において、１１０１はミュート部であり、光量検出部１０３の信号出力ＬＤ２を基準電圧に切り替えるものである。１１０２は変動測定部であり、ミュート信号Ｓ２をミュート部１１０１に出力して、特定の間隔でミュート部１１０１の出力を基準電圧に切り替え、ミュート部１１０１がその出力を切り替える期間の第１の帯域制限付ＳＨ回路１０５ａ、及び第２の帯域制限付ＳＨ回路１０５ｂの出力を測定することにより、第１の帯域制限付ＳＨ回路１０５ａ、及び第２の帯域制限付ＳＨ回路１０５ｂで生じる温度ドリフトを測定するものである。
【０１２１】
次に、以上のように構成されるレーザパワー制御装置１１００の動作について、図１２を参照しながら説明する。図１２（ａ）は、記録開始信号Ｓ１の出力を、図１０（ｂ）は制御部９０１の制御状態を、図１０（ｃ）はレーザ発光パターン信号Ｄ１の出力を、図１２（ｄ）はホールド信号Ｃ４の出力を、図１２（ｅ）はミュート信号Ｓ２の出力を、図１２（ｆ）は光量検出信号ＬＤ２の出力を、図１２（ｇ）はサンプルタイミング信号Ｔａ，Ｔｂの出力を、図１２（ｈ）は帯域制限制御信号Ｃ３を、図１２（ｉ）は第１の帯域制限付ＳＨ回路１０５ａ、及び第２の帯域制限付ＳＨ回路１０５ｂの出力Ｄ１，Ｄ２をそれぞれ表す。
【０１２２】
記録開始後、フィードバック制御が行なわれている状態（ｂ）において、ｔ１のタイミングで変動測定部１１０２の動作が開始すると、変動測定部１１０２から、ミュート信号Ｓ２がミュート部１１０１に対して特定の間隔で出力される（ｅ）。ミュート部１１０１は、ミュート信号Ｓ２の入力を受けて、その出力を、光量検出信号ＬＤ２から基準電圧に切り替える。
【０１２３】
変動測定部１１０２は、ミュート信号Ｓ２の出力期間における第１の帯域制限付ＳＨ回路１０５ａ、及び第２の帯域制限付ＳＨ回路１０５ｂの出力Ｄ１，Ｄ２から、第１の帯域制限付ＳＨ回路１０５ａ、及び第２の帯域制限付ＳＨ回路１０５ｂで発生する温度ドリフト等を測定し、フィードフォワード制御部１０６、及びフィードバック制御部１０７に出力する。
【０１２４】
一方、制御部１０８は、変動測定部１１０２の測定開始時であるｔ１のタイミングで、ホールド信号Ｃ４をフィードバック制御部１０７に対して出力し、その動作をホールドさせる（ｄ）。
【０１２５】
ｔ２のタイミングで変動測定部１１０２の測定が完了すると、変動測定部１１０２は、ミュート信号Ｓ２の出力を停止し、これにより、ミュート部１１０１が、再び光量検出部１１０３の出力信号ＬＤ２を出力するようになる。
【０１２６】
ここで、第１の帯域制限付ＳＨ回路１０５ａ、及び第２の帯域制限付ＳＨ回路１０５ｂは、帯域が制限されているため、ミュート部１１０１の出力信号が切り替わった直後は、１回のサンプルでは出力が静定しない状態（図１２（ｉ）のＤＳで示す。）にある。このため、制御部１０８は、第１の帯域制限付ＳＨ回路１０５ａ、及び第２の帯域制限付ＳＨ回路１０５ｂの出力が静定するのを待ち、出力静定後のｔ３のタイミングで、フィードバック制御部１０７のホールドを解除する（ｂ）。
【０１２７】
ｔ３以降、データ記録が終了するまでは、上述した実施の形態１と同様に、フィードバック制御部１０７によるレーザ駆動量のフィードバック制御が行なわれ、かかる制御のもとで、レーザ発光部１０２から、レーザＬＤ１が発光される。
【０１２８】
以上のように、本実施の形態６では、温度特性の変動などの影響を除去するために、第１の帯域制限付ＳＨ回路１０５ａ、及び第２の帯域制限付ＳＨ回路１０５ｂへの入力信号を切り替える際に、第１の帯域制限付ＳＨ回路１０５ａ、及び第２の帯域制限付ＳＨ回路１０５ｂの出力が安定するまでフィードバック制御部１０７の動作をホールドさせることとしたので、温度特性の変動の影響を除去するために、第１の帯域制限付ＳＨ回路１０５ａ、及び第２の帯域制限付ＳＨ回路１０５ｂへの入力信号を切り替えた場合であっても、第１の帯域制限付ＳＨ回路１０５ａ、及び第２の帯域制限付ＳＨ回路１０５ｂの出力が静定した後のサンプルデータを用いて、安定したレーザパワー制御を行なうことが可能となる。
【０１２９】
（実施の形態７）
本実施の形態７に係るレーザパワー制御装置は、上記実施の形態１のレーザパワー制御装置１００において、データ記録開始時に、光量検出信号ＬＤ２のサンプル期間を長くとることにより、帯域制限ＯＦＦ時の第１の帯域制限付ＳＨ回路１０５ａ、及び第２の帯域制限付ＳＨ回路１０５ｂの帯域を抑え、これにより、フィードフォワード制御時のレーザパワーを安定に制御するものである。
【０１３０】
図１３は、本実施の形態７に係るレーザパワー制御装置１３００の構成を表すブロック図である。図１３に示したように、本実施の形態７に係るレーザパワー制御装置１３００は、上述した実施の形態１に係るレーザパワー制御装置１３００と同一の構成要素からなる。本実施の形態７では、記録パターン出力部１０１は、記録開始直後の最初の出力信号として、通常より長い記録パターン信号を出力する。
【０１３１】
次に動作について、図１４を参照しながら説明する。
図１４（ａ）は、記録開始信号Ｓ１の出力を、図１４（ｂ）は制御部１０８の制御状態を、図１４（ｃ）はレーザ発光パターン信号Ｄ１を、図１４（ｄ）は光量検出信号ＬＤ２の出力を、図１４（ｅ）はサンプルタイミング信号Ｔａ，Ｔｂの出力を、図１４（ｆ）は帯域制限制御信号Ｃ３の出力を、図１４（ｇ）は第１の帯域制限付ＳＨ回路１０５ａ、及び第２の帯域制限付ＳＨ回路１０５ｂの出力をそれぞれ表す。
【０１３２】
図１４において、ｔ１のタイミングで記録動作が開始されると、記録開始信号Ｓ１が、記録パターン出力部１０１から、制御部１０８に対して出力され（ａ）、また、レーザ発光パターン信号Ｄ１が、レーザ発光部１０２、及びサンプルタイミング信号出力部１０４に出力される（ｃ）。
【０１３３】
この際に、記録パターン出力部１０１は、図１４（ｃ）に示したように、記録開始直後の最初の出力信号のみ、通常より長いレーザ発光パターン信号Ｄ１〔１〕を出力する。サンプルタイミング信号出力部１０４は、かかるレーザ発光パターン信号Ｄ１〔１〕を受けて、図１４（ｅ）に示すように、記録開始直後の最初の信号のみ、通常より幅のあるサンプルタイミング信号Ｔａ〔１〕、及びＴｂ〔１〕を出力する。
【０１３４】
第１の帯域制限付ＳＨ回路１０５ａでは、光量検出信号ＬＤ２〔１〕が、サンプルタイミング信号Ｔａ〔１〕に従って、帯域制限オフの状態で高速にサンプルホールドされ、第２の帯域制限付ＳＨ回路１０５ｂにおいても同様に、光量検出信号ＬＤ２が、サンプルタイミング信号Ｔｂ〔１〕に従って、帯域制限オフの状態で高速にサンプルホールドされる。
【０１３５】
ここで、サンプルタイミング信号の信号幅が、通常よりも広くなっているので、第１の帯域制限付ＳＨ回路１０５ａ、及び第２の帯域制限付ＳＨ回路１０５ｂの帯域制限オフの状態の帯域を、上述した実施の形態１よりも低く設定することができる。また、サンプリング期間を長く取ることによって、１回のサンプリングで精度の良いデータ検出を行うことが可能となる。
【０１３６】
記録開始後のｔ２以降は、上述した実施の形態１と同様に、データ記録が終了するまで、フィードバック制御部１０７によるレーザ駆動量のフィードバック制御が行なわれ、かかる制御のもとで、レーザ発光部１０２から、レーザＬＤ１が発光される。
【０１３７】
以上のように、本実施の形態７では、記録開始時の先頭のレーザ発光パターン信号Ｄ１として、通常より長いパルス幅の信号を出力し、フィードフォワード制御時の信号のサンプル期間を長く取ることとしたので、帯域制限ＯＦＦ時の第１の帯域制限付ＳＨ回路１０５ａ、及び第２の帯域制限付ＳＨ回路１０５ｂの帯域を抑えることができ、これにより、ノイズの影響を抑えて、精度の高いサンプルデータに基づいてレーザパワー制御を行なうことが可能となる。
【０１３８】
（実施の形態８）
本実施の形態８は、上述した実施の形態７において、記録開始時に、矩形状のレーザ発光パターン信号Ｄ１を出力することにより、フィードフォワード制御時の信号のサンプル期間を長く取ることとしたものであり、これにより、帯域制限ＯＦＦ時の第１の帯域制限付ＳＨ回路１０５ａ、及び第２の帯域制限付ＳＨ回路１０５ｂの帯域を抑え、フィードフォワード制御時のレーザパワーを安定に制御するものである。なお、本実施の形態８によるレーザパワー制御装置は、図１３に示すレーザパワー装置１３００と同じ構成であるため、その説明を省略する
【０１３９】
次に動作について、図１５を参照しながら説明する。
図１５（ａ）は、記録開始信号Ｓ１の出力を、図１５（ｂ）は制御部１０８の制御状態を、図１５（ｃ）はレーザ発光パターン信号Ｄ１を、図１５（ｄ）は光量検出信号ＬＤ２の出力を、図１５（ｅ）はサンプルタイミング信号Ｔａ，Ｔｂの出力を、図１５（ｆ）は帯域制限制御信号Ｃ３の出力を、図１５（ｇ）は第１の帯域制限付ＳＨ回路１０５ａ、及び第２の帯域制限付ＳＨ回路１０５ｂの出力をそれぞれ表す。
【０１４０】
図１５において、ｔ１のタイミングで記録動作が開始すると、記録開始信号Ｓ１が、記録パターン出力部１０１から、制御部１０８に対して出力され（ａ）、また、レーザ発光パターン信号Ｄ１が、レーザ発光部１０２、及びサンプルタイミング信号出力部１０４に出力される（ｃ）。
【０１４１】
この際に、記録パターン出力部１０１は、記録開始時の最初のレーザ発光パターン信号Ｄ１のみ、図１５（Ｃ）に示すような、本来の波形とは異なる単一パワーの矩形状の信号Ｄ１〔１〕を出力する。
【０１４２】
サンプルタイミング信号出力部１０４は、かかる矩形レーザ発光パターン信号Ｄ１〔１〕を受けて、図１４（ｅ）に示すように、記録開始直後の最初の出力信号のみ、通常より幅のあるサンプルタイミング信号Ｔａ〔１〕、及びＴｂ〔１〕を出力する。これにより、上述した実施の形態７と同様に、フィードフォワード制御時の信号測定時に、信号をサンプルすることができる区間を増やすことが可能となり、フィードフォワード制御時のサンプルホールド回路の帯域を抑えることができる。また、サンプリング期間を長く取ることができ、１回のサンプリングで精度の良いデータ検出を行うことが可能となる。
【０１４３】
記録開始後のｔ２以降は、上述した実施の形態１と同様に、データ記録が終了するまで、フィードバック制御部１０７によるレーザ駆動量のフィードバック制御が行なわれ、かかる制御のもとで、レーザ発光部１０２から、レーザＬＤ１が発光される。
【０１４４】
以上のように、本実施の形態８では、記録開始時に出力するレーザ発光パターン信号Ｄ１を、矩形記録パターンとすることにより、フィードフォワード制御のための信号測定時に信号をサンプルすることができる区間を増やすこととしたので、フィードフォワード制御時のサンプルホールド回路の帯域を抑えることができ、ノイズの影響を抑えて、フィードフォワード制御時のレーザパワーを安定に制御することが可能となる。
【０１４５】
（実施の形態９）
本実施の形態９は、上述した実施の形態８において、記録開始時に最初のサンプルタイミング信号Ｔａ，Ｔｂが出力された後、フィードバック制御が開始するまで、サンプルタイミング信号Ｔａ，Ｔｂの出力を抑制することとしたものであり、これにより、記録開始時に検出された精度の高いサンプルデータを用いてフィードフォワード制御時のレーザパワーを安定に制御するものである。
【０１４６】
図１６は、本実施の形態９に係るレーザパワー制御装置１６００の構成を表すブロック図である。なお、図１６において、図１と同じ構成要素については、同じ符号を使用し、その説明を省略する。
【０１４７】
本実施の形態９のサンプルタイミング信号出力部１０４は、最初のサンプルタイミング信号Ｔａ，Ｔｂが出力された後、制御部１６０１から制御信号Ｃ４を受けるまで、サンプルタイミング信号Ｔａ，Ｔｂの出力を制限する。制御部１６０１は、フィードバック制御部１０７の動作を開始させると同時に、制御信号Ｃ６をサンプルタイミング信号出力部１０４に対して出力し、サンプルタイミング信号出力部１０４の信号出力制御を解除する。
【０１４８】
また、本実施の形態９の記録パターン出力部１０１は、上述した実施の形態８と同様に、記録開始時の先頭のレーザ発光パターン信号として、矩形状のレーザ発光パターン信号Ｄ１を出力する。
【０１４９】
次に動作について、図１７を参照しながら説明する。
図１７（ａ）は、記録開始信号Ｓ１の出力を、図１７（ｂ）は制御部１０８の制御状態を、図１７（ｃ）はレーザ発光パターン信号Ｄ１を、図１７（ｄ）は光量検出信号ＬＤ２の出力を、図１７（ｅ）はサンプルタイミング信号Ｔａ，Ｔｂの出力を、図１７（ｆ）は帯域制限制御信号Ｃ３の出力を、図１７（ｇ）は第１の帯域制限付ＳＨ回路１０５ａ、及び第２の帯域制限付ＳＨ回路１０５ｂの出力をそれぞれ表す。
【０１５０】
図１７において、ｔ１のタイミングで記録動作が開始すると、記録開始信号Ｓ１が、記録パターン出力部１０１から、制御部１０８に対して出力され（ａ）、また、図１７（ｃ）に示すような、矩形形状のレーザ発光パターン信号Ｄ１〔１〕が、レーザ発光部１０２、及びサンプルタイミング信号出力部１０４に出力される（ｃ）。
【０１５１】
制御部１０８は、記録開始信号Ｓ１を受けて、フィードフォワード制御部１０６を動作させる。サンプルタイミング信号出力部１０４は、矩形形状のレーザ発光パターン信号Ｄ１〔１〕の入力を受けると、最初のサンプルタイミング信号として、図１５（ｅ）に示すように、通常より幅が広いサンプルタイミング信号Ｔａ〔１〕、及びＴｂ〔１〕を出力する。
【０１５２】
また、レーザ発光部１０２からは、矩形形状のレーザ発光パターン信号Ｄ１〔１〕に従い、レーザＬＤ１が出力され、光量検出部１０３においてレーザパワーが測定された後、光量検出信号ＬＤ２〔１〕が出力される。
【０１５３】
第１の帯域制限付ＳＨ回路１０５ａでは、光量検出信号ＬＤ２〔１〕が、サンプルタイミング信号Ｔａ〔１〕に従って、帯域制限オフの状態で高速にサンプルホールドされ、第２の帯域制限付ＳＨ回路１０５ｂにおいても同様に、光量検出信号ＬＤ２〔１〕が、サンプルタイミング信号Ｔｂ〔１〕に従って、帯域制限オフの状態で高速にサンプルホールドされ、これら、第１の帯域制限付ＳＨ回路１０５ａ、及び第２の帯域制限付ＳＨ回路１０５ｂの出力Ｄ２，Ｄ３は、フィードフォワード制御部１０６に入力される。そして、フィードフォワード制御部１０６において、サンプルデータＤ２，Ｄ３に基づいてレーザ駆動量ＬＣが算出され、レーザ発光部１０２に出力される。
【０１５４】
次に、サンプルタイミング信号出力部１０４は、レーザ発光パターン信号Ｄ１〔１〕以降、記録パターン出力部１０１からレーザ発光パターン信号Ｄ１の出力を受けるが、制御部１６０１から制御信号Ｃ６を受けるまでは、サンプルタイミング信号Ｔａ，Ｔｂの出力を抑制し、２個目のサンプルタイミング信号Ｔａ〔２〕、及びＴｂ〔２〕の出力を停止する（ｅ）。
【０１５５】
第１の帯域制限付ＳＨ回路１０５ａ、及び第２の帯域制限付ＳＨ回路１０５ｂは、サンプルタイミング信号Ｔａ〔１〕、及びＴｂ〔１〕に基づいて検出したサンプルデータを保持し続けており、フィードフォワード制御部１０６は、２回目以降の記録パターンＤ１測定時のノイズの影響を受けずに、フィードフォワード制御を行う。
【０１５６】
そして、ｔ２のタイミングにおいて、フィードフォワード制御部１０６の動作が完了すると、制御部１０８は、フィードバック制御部１０７に動作を切り替え、これと同時に、制御信号Ｃ６をサンプルタイミング信号出力部１０４に対して出力し、サンプルタイミング信号Ｔａ，Ｔｂの信号出力を許可する。これ以降は、上述した実施の形態１と同様に、データ記録が終了するまで、フィードバック制御部１０７によるレーザ駆動量のフィードバック制御が行なわれ、かかる制御のもとで、レーザ発光部１０２から、レーザＬＤ１が発光される。
【０１５７】
以上のように、本実施の形態９では、サンプルタイミング信号出力部１０４が、記録開始直後にサンプルタイミング信号Ｔａ，Ｔｂを出力した後、フィードバック制御が始まるまで、サンプルタイミング信号Ｔａ，Ｔｂの出力を抑制することとしたので、記録開始後２個目以降の記録パターン信号Ｄ１を測定する際に生じるノイズの影響を受けずに、フィードフォワード制御時のレーザパワーを安定に制御することができる。
【産業上の利用可能性】
【０１５８】
本発明のレーザパワー制御装置によれば、安定したパワーで高速な記録を行える光ディスク記録装置を提供することが可能となる点で有用である。
【図面の簡単な説明】
【０１５９】
【図１】本発明の実施の形態１によるレーザパワー制御装置の構成図である。
【図２】本発明の実施の形態１によるレーザパワー制御装置の動作を説明するための図である。
【図３】本発明の実施の形態２によるレーザパワー制御装置の構成図である。
【図４】本発明の実施の形態２によるレーザパワー制御装置の動作を説明するための図である。
【図５】本発明の実施の形態３によるレーザパワー制御装置の構成図である。
【図６】実施の形態３によるレーザパワー制御装置の動作を説明するための図である。
【図７】本発明の実施の形態４によるレーザパワー制御装置の構成図である。
【図８】実施の形態４によるレーザパワー制御装置の動作を説明するための図である。
【図９】本発明の実施の形態５によるレーザパワー制御装置の構成図である。
【図１０】本発明の実施の形態５によるレーザパワー制御装置の動作を説明するための図である。
【図１１】本発明の実施の形態６によるレーザパワー制御装置の構成図である。
【図１２】本発明明の実施の形態６によるレーザパワー制御装置の動作を説明するための図である。
【図１３】本発明の実施の形態７，８によるレーザパワー制御装置の構成図である。
【図１４】本発明の実施の形態７によるレーザパワー制御装置の動作を説明するための図である。
【図１５】本発明の実施の形態８によるレーザパワー制御装置の動作を説明するための図である。
【図１６】本発明の実施の形態９によるレーザパワー制御装置の構成図である。
【図１７】実施の形態９によるレーザパワー制御装置の動作を説明するための図である。
【図１８】従来のレーザパワー制御装置の構成図である。
【図１９】従来のレーザパワー制御装置の動作を説明するための図である。
【符号の説明】
【０１６０】
１０１  記録パターン出力部
１０２  レーザ発光部
１０３  光量検出部
１０４  サンプルタイミング信号出力部
１０５ａ  第１の帯域制限付きサンプルホールド回路
１０５ｂ  第２の帯域制限付きサンプルホールド回路
１０６  フィードフォワード制御部
１０７  フィードバック制御部
１０８、３０１、５０２、７０１、９０１、１６０１  制御部
３０２  タイマ
５０１  サンプルカウンタ部
７０２  速度情報格納部
１１０１  ミュート部
１１０２  変動測定部
【図１】
2006073179.tif 000003
【図２】
2006073179.tif 000004
【図３】
2006073179.tif 000005
【図４】
2006073179.tif 000006
【図５】
2006073179.tif 000007
【図６】
2006073179.tif 000008
【図７】
2006073179.tif 000009
【図８】
2006073179.tif 000010
【図９】
2006073179.tif 000011
【図１０】
2006073179.tif 000012
【図１１】
2006073179.tif 000013
【図１２】
2006073179.tif 000014
【図１３】
2006073179.tif 000015
【図１４】
2006073179.tif 000016
【図１５】
2006073179.tif 000017
【図１６】
2006073179.tif 000018
【図１７】
2006073179.tif 000019
【図１８】
2006073179.tif 000020
【図１９】
2006073179.tif 000021